Podtech/llm-jp-corpus-v4-ja_patent huggingface dataset:
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
端末装置に接続された記録装置であって、
記録部と、
前記端末装置から入力されるテキストデータを取得するデータ取得部と、
前記データ取得部により取得された前記テキストデータを前記記録部により記録させる記録制御部と、
前記記録部の設定情報に基づいて、前記データ取得部により取得された前記テキストデータのイメージデータを生成するイメージデータ生成部と、
前記記録制御部による記録および／または前記イメージデータ生成部による前記イメージデータの生成を実行させる制御部と、
を備えたことを特徴とする記録装置。
【請求項２】
前記イメージデータ生成部は、前記記録制御部が前記記録部により前記テキストデータを記録する場合の記録形態に合わせて、前記イメージデータを生成することを特徴とする請求項１記載の記録装置。
【請求項３】
前記データ取得部は、前記端末装置からＰＯＳアプリケーションプログラムにより生成された取引情報の前記テキストデータを取得し、
前記記録制御部は、前記データ取得部が取得した前記取引情報に基づいて前記記録部によりレシートを記録させ、
前記イメージデータ生成部は、前記データ取得部により取得された前記取引情報に基づいてレシートのイメージデータを生成することを特徴とする請求項１または２記載の記録装置。
【請求項４】
前記制御部は、前記イメージデータ生成部によって生成された前記イメージデータを、前記端末装置に送信させることを特徴とする請求項１から３のいずれか１項に記載の記録装置。
【請求項５】
前記データ取得部は、前記端末装置から前記テキストデータとともに、記録実行または前記イメージデータの生成を指示する制御データを取得し、
前記制御部は、前記制御データに基づいて、前記記録制御部による記録および／または前記イメージデータ生成部による前記イメージデータの生成を実行させることを特徴とする請求項１から４のいずれか１項に記載の記録装置。
【請求項６】
アプリケーションプログラムの機能によりテキストデータを生成するデータ生成部と、
前記データ生成部により生成した前記テキストデータを記録装置に送信するデータ送信部と、
前記テキストデータに基づいて生成されたイメージデータを前記記録装置から取得するデータ取得部と、
前記データ取得部により取得した前記イメージデータを、外部装置に対して無線送信するイメージデータ送信部と、
を備えたことを特徴とする端末装置。
【請求項７】
前記データ生成部は、外部サーバーから取引情報を処理するＰＯＳアプリケーションに関するウェブページをダウンロードし、ダウンロードした前記ウェブページをブラウザー機能により動作させることにより、取引情報の前記テキストデータを生成することを特徴とする請求項６記載の端末装置。
【請求項８】
端末装置と記録装置とを備え、
前記記録装置は、
記録部と、
前記端末装置から入力されるテキストデータを取得するデータ取得部と、
前記データ取得部により取得された前記テキストデータを前記記録部により記録させる記録制御部と、
前記記録部の設定情報に基づいて、前記データ取得部により取得された前記テキストデータのイメージデータを生成するイメージデータ生成部と、
前記記録制御部による記録および／または前記イメージデータ生成部による前記イメージデータの生成を実行させる制御部と、を備え、
前記端末装置は、
アプリケーションプログラムの機能によりテキストデータを生成するデータ生成部と、
前記データ生成部により生成した前記テキストデータを前記記録装置に送信するデータ送信部と、
前記テキストデータに基づいて前記記録装置により生成されたイメージデータを前記記録装置から取得するデータ取得部と、
前記データ取得部により取得した前記イメージデータを、外部装置に対して無線送信するイメージデータ送信部と、を備えたこと、
を特徴とする記録システム。
【請求項９】
前記端末装置が備える前記データ送信部は、前記テキストデータとともに、前記記録装置に対して記録実行または前記イメージデータの生成を指示する制御データを送信し、
前記記録装置が備える前記制御部は、前記端末装置から送信される前記制御データに基づいて、前記記録制御部による記録および／または前記イメージデータ生成部による前記イメージデータの生成を実行させることを特徴とする請求項８記載の記録システム。
【請求項１０】
端末装置と記録装置とを備える記録システムの制御方法であって、
前記端末装置で、
アプリケーションプログラムの機能によりテキストデータを生成し、
生成した前記テキストデータを前記記録装置に送信し、
前記記録装置で、
前記端末装置から送信されたテキストデータを取得し、
取得した前記テキストデータの記録および／または前記記録に関する設定情報に基づいて、取得した前記テキストデータのイメージデータの生成と前記端末装置への送信を実行し、
前記端末装置で、
前記記録装置により生成されたイメージデータを前記記録装置から取得し、
取得した前記イメージデータを、外部装置に対して無線送信すること、
を特徴とする記録システムの制御方法。
【手続補正２】
【補正対象書類名】明細書
【補正対象項目名】発明の名称
【補正方法】変更
【補正の内容】
【発明の名称】記録装置、端末装置、記録システム、及び、記録システムの制御方法
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
透明導電膜が形成された２枚のガラス基板が、各々の透明導電膜を向かい合わせて配置された２枚のガラス基板と、
一方のガラス基板の透明導電膜上に配置された２酸化チタン起電体又は色素増感起電体と、
他方のガラス基板の透明導電膜上に配置された２酸化ケイ素起電体と、
前記２枚のガラス基板の間に充填された電解質
からなる複合ソーラーセル。
【請求項２】
請求項１に記載の複合ソーラーセルであって、前記２酸化チタン起電体又は色素増感起電体が分割して配置されたことを特徴とする複合ソーラーセル。
【手続補正２】
【補正対象書類名】明細書
【補正対象項目名】０００５
【補正方法】変更
【補正の内容】
【０００５】
ガラス基板１上のＦＴＯ透明導電膜２を透過して入射した紫外光により多孔質２酸化チタン焼結体５から電子が励起され、励起された電子がＦＴＯ透明導電層２から外部へ取り出され、負荷を経由してＦＴＯ透明導電膜４から電解質６を介して多孔質２酸化チタン焼結体５に戻る。
【手続補正３】
【補正対象書類名】明細書
【補正対象項目名】００１１
【補正方法】変更
【補正の内容】
【００１１】
この沃素系電解質は、成分である沃素により黄褐色を呈している。
電解質が無色である必要がある場合には、次の組成の電解質が使用可能である。
１−エチル−３−メチルイミダゾリウムアイオダイド０．４ｍｏｌ，テトラブチルアンモニウムアイオダイド０．４ｍｏｌ，４−ｔｅｒｔ−ｂｕｔｙｌ  ｐｙｒｉｄｉｎｅ：０．２ｍｏｌ，グアニジウムイソチオシアネート０．１ｍｏｌをプロピレンカーボネート液を溶媒として調製したもの。
この電解質は、ハロゲン分子の濃度が０．０００４ｍｏｌ／Ｌ以下の場合には、可視光領域においてほぼ無色透明である。
【手続補正書】
【提出日】平成27年7月24日(2015.7.24)
【手続補正１】
【補正対象書類名】明細書
【補正対象項目名】００１１
【補正方法】変更
【補正の内容】
【００１１】
【図１】本開示に係る実施の形態１の誘導加熱調理器においてトッププレートを取り除いた状態を示す平面図
【図２】実施の形態１の誘導加熱調理器におけるトッププレートを示す平面図
【図３】実施の形態１の誘導加熱調理器において、並設された加熱コイルユニットおよび発光表示ユニットを拡大して示す斜視図
【図４】図１に示した誘導加熱調理器におけるIV−IV線による部分的な断面図
【図５】図１に示した誘導加熱調理器におけるV−V線による部分的な断面図
【図６】実施の形態１の誘導加熱調理器における発光表示ユニットの表示機能を構成する要素を示すブロック図
【図７】実施の形態１の誘導加熱調理器において、被加熱物がトッププレートに載置されたときの発光表示ユニットの発光状態を示す平面図
【図８】本開示に係る実施の形態２の誘導加熱調理器におけるトッププレートの直下に設けられている多数の加熱コイルユニットおよび発光表示ユニットなどを示す平面図
【図９】実施の形態２の誘導加熱調理器におけるトッププレートを示す平面図
【図１０】実施の形態２の誘導加熱調理器において、並設された加熱コイルユニットおよび発光表示ユニットを拡大して示す斜視図
【図１１】図８に示した誘導加熱調理器におけるXI−XI線による部分的な断面図
【図１２】図８に示した誘導加熱調理器におけるXII-XII線による部分的な断面図
【図１３】実施の形態２の誘導加熱調理器における導光ユニットを示す斜視図
【図１４】実施の形態２の誘導加熱調理器において、被加熱物がトッププレートに載置されたときの発光表示ユニットの発光状態を示す平面図
【手続補正２】
【補正対象書類名】明細書
【補正対象項目名】００３２
【補正方法】変更
【補正の内容】
【００３２】
〈発光表示ユニットの構成〉
発光表示ユニット３は、各加熱コイルユニット２の周りにおける四方の位置に配置されており、トッププレート６を通して目視可能に実質的に点状に発光するよう構成されている。発光表示ユニット３は、平面的な縦横に列状に並設された加熱コイルユニット２により挟まれた空間内に配設されており、加熱コイルユニット２における加熱コイルケース１４の外周面に接するように配置されている。即ち、発光表示ユニット３は、縦横に列状に並設された加熱コイルユニット２を取り囲むように構成される略正方形である四角形の格子形状の枠体の頂点の位置に配置されている。
【手続補正３】
【補正対象書類名】明細書
【補正対象項目名】００３６
【補正方法】変更
【補正の内容】
【００３６】
〈摺動案内部の構成〉
図５に示すように、発光表示ユニット３には加熱コイルユニット２に対向する位置に摺動案内部４が設けられている。摺動案内部４は、加熱コイルユニット２における加熱コイルケース１４の外周面に摺動可能に配設されている。当該誘導加熱調理器の搬送時などにおいて、それぞれの加熱コイルユニット２が圧縮コイルばね１１により振動状態となったとしても、それぞれの加熱コイルユニット２の振動方向を上下方向に規制し、それぞれの加熱コイルユニット２が揺動（横揺れ）することにより生じる接触や衝突などの故障の原因となる動きが確実に禁止されている。ここで上下方向とは、加熱コイルユニット２が押付けられている直上のトッププレート６の平面に対して直交する方向をいう。
【手続補正４】
【補正対象書類名】明細書
【補正対象項目名】００４１
【補正方法】変更
【補正の内容】
【００４１】
また、加熱制御部２２は、起動信号が入力されたとき、被加熱物検出部２１に対して各加熱コイルユニット２において被加熱物が載置されたか否かを検出する検出動作を実行させる。この検出動作は、各加熱コイルユニット２における加熱コイル１３に検出電流を流して、その検出電流の変化により、被加熱物の有無を検出するものである。
【手続補正５】
【補正対象書類名】明細書
【補正対象項目名】００６０
【補正方法】変更
【補正の内容】
【００６０】
実施の形態２の誘導加熱調理器におけるトッププレート６は、例えば透明の結晶化ガラスを用いており、トッププレート６の裏面には黒色の着色膜１６が印刷されている。この着色膜１６は光を透す黒色の光透過膜１６ａと、光を遮光する黒色の遮光膜１６ｃとの二重構造になっている。トッププレート６の裏面においては、操作表示部５以外の全面に透過膜１６ａが印刷されており、その上から遮光膜１６ｃが所定の領域、例えば操作表示部５、発光表示ユニット２３、光センサ１５に対向する面以外の所定の領域に印刷されている。したがって、使用者が外部からトッププレート６を通して本体筐体１内の加熱コイルユニット２などの部材が見えないよう構成されている。
【手続補正６】
【補正対象書類名】明細書
【補正対象項目名】００７０
【補正方法】変更
【補正の内容】
【００７０】
また、加熱制御部２２は、起動信号が入力されたとき、被加熱物検出部２１に対して各加熱コイルユニット２において被加熱物７が載置されたか否かを検出する検出動作を実行させる。この検出動作は、各加熱コイルユニット２における加熱コイル１３に検出電流を流して、その検出電流の変化により、被加熱物７の有無を検出する。
【手続補正７】
【補正対象書類名】明細書
【補正対象項目名】００７６
【補正方法】変更
【補正の内容】
【００７６】
なお、トッププレート６は必ずしも透明な結晶化ガラスの裏面に黒色の膜体を印刷しなくてもよく、ガラス自体が着色された構成でもよい。本開示の誘導加熱装置としては、本体筐体１内の部材が使用者から見えず、発光表示ユニット２３の発光状態と操作表示部５の表示部分が視認できる構成であればよい。
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
可変表示を行う遊技機であって、
遊技媒体が進入可能な第１状態と遊技媒体が進入不可能または困難な第２状態とに変化する可変入賞手段と、
前記可変入賞手段を前記第２状態から前記第１状態に変化させるラウンド遊技を複数回行う有利状態に制御する有利状態制御手段と、
前記有利状態において、前記可変入賞手段に設けられた特定領域を遊技媒体が通過したことに基づいて、通常状態よりも前記有利状態に制御されやすい特別状態に制御する特別状態制御手段と、を備え、
前記特別状態制御手段は、前記有利状態における１のラウンド遊技において前記特定領域を遊技媒体が通過したときに有効とする判定を実行し、前記有利状態制御手段が前記有利状態における次のラウンド遊技を開始した後にも、当該判定を継続して実行可能である
ことを特徴とする遊技機。
【請求項２】
可変表示を行う遊技機であって、
遊技媒体が進入可能な第１状態と遊技媒体が進入不可能または困難な第２状態とに変化する第１可変入賞手段と、
前記第１状態と前記第２状態とに変化し、前記第１可変入賞手段とは異なる第２可変入賞手段と、
前記第１可変入賞手段または前記第２可変入賞手段を前記第２状態から前記第１状態に変化させるラウンド遊技を複数回行う有利状態に制御する有利状態制御手段と、
前記有利状態において、前記第１可変入賞手段に設けられた特定領域を遊技媒体が通過したことに基づいて、通常状態よりも前記有利状態に制御されやすい特別状態に制御する特別状態制御手段と、を備え、
前記特別状態制御手段は、前記有利状態における複数回のラウンド遊技のうち前記第１可変入賞手段を前記第２状態から前記第１状態に変化させる１のラウンド遊技において前記特定領域を遊技媒体が通過したときに有効とする判定を実行し、前記有利状態制御手段が前記有利状態における次のラウンド遊技を開始した後にも、当該判定を継続して実行可能である
ことを特徴とする遊技機。
【手続補正２】
【補正対象書類名】明細書
【補正対象項目名】０００７
【補正方法】変更
【補正の内容】
【０００７】
（１）上記目的を達成するため、本発明の遊技機は、
可変表示を行う遊技機（例えばパチンコ遊技機１又は１ａ）であって、
遊技媒体が進入可能な第１状態と遊技媒体が進入不可能または困難な第２状態とに変化する可変入賞手段（例えば特別可変入賞球装置７、下特別可変入賞球装置７Ｂ）と、
前記可変入賞手段を前記第２状態から前記第１状態に変化させるラウンド遊技を複数回行う有利状態（例えば大当り遊技状態）に制御する有利状態制御手段（例えばステップＳ１１４〜Ｓ１１７の処理を実行するＣＰＵ１０３）と、
前記有利状態において、前記可変入賞手段に設けられた特定領域（例えば確変領域）を遊技媒体が通過したことに基づいて、通常状態よりも前記有利状態に制御されやすい特別状態に制御する特別状態制御手段（例えばステップＳ８０６、Ｓ３６３、Ｓ３６４の処理を実行するＣＰＵ１０３）と、を備え、
前記特別状態制御手段は、前記有利状態における１のラウンド遊技において前記特定領域を遊技媒体が通過したときに有効とする判定を実行し、前記有利状態制御手段が前記有利状態における次のラウンド遊技を開始した後にも、当該判定を継続して実行可能である（例えば、実施形態２において、開放される１４ラウンド及び１６ラウンドに加えて、１４ラウンドの次のラウンドである１５ラウンドにおいても下大入賞口入賞検出処理を実行する）。
このような構成によれば、有利状態を速やかに消化できる。
【手続補正３】
【補正対象書類名】明細書
【補正対象項目名】０００８
【補正方法】変更
【補正の内容】
【０００８】
（２）また、本発明の他の遊技機は、
可変表示を行う遊技機（例えばパチンコ遊技機１）であって、
遊技媒体が進入可能な第１状態と遊技媒体が進入不可能または困難な第２状態とに変化する第１可変入賞手段（例えば下特別可変入賞球装置７Ｂ）と、
前記第１状態と前記第２状態とに変化し、前記第１可変入賞手段とは異なる第２可変入賞手段（例えば上特別可変入賞球装置７Ａ）と、
前記第１可変入賞手段または前記第２可変入賞手段を前記第２状態から前記第１状態に変化させるラウンド遊技を複数回行う有利状態（例えば大当り遊技状態）に制御する有利状態制御手段（例えばステップＳ１１４〜Ｓ１１７の処理を実行するＣＰＵ１０３）と、
前記有利状態において、前記第１可変入賞手段に設けられた特定領域（例えば確変領域）を遊技媒体が通過したことに基づいて、通常状態よりも前記有利状態に制御されやすい特別状態（例えば確変状態）に制御する特別状態制御手段（例えばステップＳ８０６、Ｓ３６３、Ｓ３６４の処理を実行するＣＰＵ１０３）と、を備え、
前記特別状態制御手段は、前記有利状態における複数回のラウンド遊技のうち前記第１可変入賞手段を前記第２状態から前記第１状態に変化させる１のラウンド遊技において前記特定領域を遊技媒体が通過したときに有効とする判定を実行し、前記有利状態制御手段が前記有利状態における次のラウンド遊技を開始した後にも、当該判定を継続して実行可能である（例えば、実施形態２において、開放される１４ラウンド及び１６ラウンドに加えて、１４ラウンドの次のラウンドである１５ラウンドにおいても下大入賞口入賞検出処理を実行する）。
このような構成によれば、有利状態を速やかに消化できる。
【手続補正４】
【補正対象書類名】明細書
【補正対象項目名】００１０
【補正方法】変更
【補正の内容】
【００１０】
（４）上記（３）の遊技機において、
前記有利状態が終了するまでに、当該１の有利状態において前記入賞検出手段により検出された全ての遊技媒体が前記排出検出手段により検出されていない場合には、異常報知を実行する異常報知手段（例えばステップＳ３６２Ａ、Ｓ３６２Ｂ、Ｓ３６２Ｃの処理を実行するＣＰＵ１０３）をさらに備えるようにしてもよい。
このような構成によれば、異常が発生したまま遊技が進行してしまうことを防止できる。
【手続補正書】
【提出日】平成27年9月11日(2015.9.11)
【手続補正１】
【補正対象書類名】特許請求の範囲
【補正対象項目名】請求項３
【補正方法】変更
【補正の内容】
【請求項３】
前記装着部材は、
前記複数の検知センサが取付けられている可撓性を有したシート状のベース部と、
該ベース部の一方の面に取付けられており人体表面に着脱可能に貼付けられるシート状の粘着部と
を有していることを特徴とする請求項１又は請求項２に記載の人体検知装置。
【手続補正２】
【補正対象書類名】明細書
【補正対象項目名】００２７
【補正方法】変更
【補正の内容】
【００２７】
更に、本発明に係る人体検知装置は、上記の構成に加えて、「前記装着部材は、前記複数の検知センサが取付けられている可撓性を有したシート状のベース部と、該ベース部の一方の面に取付けられており人体表面に着脱可能に貼付けられるシート状の粘着部とを有している」ことを特徴としても良い。
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
構成脂肪酸として、カプロン酸、カプリル酸及びカプリン酸から選ばれる１種以上の脂肪酸を含むトリアシルグリセロールを４０〜９０質量％含む可塑性油脂組成物が折り込まれた状態で含まれる、構成脂肪酸として、カプロン酸、カプリル酸及びカプリン酸から選ばれる１種以上の脂肪酸を含むトリアシルグリセロールを、１０〜２０質量％含む、層状穀粉膨化食品生地。
【請求項２】
前記トリアシルグリセロールを構成するカプロン酸、カプリル酸及びカプリン酸中のカプロン酸含量が３０質量％以下である、請求項１に記載の層状穀粉膨化食品生地。
【請求項３】
前記トリアシルグリセロールを構成するカプロン酸、カプリル酸及びカプリン酸中のカプリン酸含量が３０質量％以上である、請求項１又は２に記載の層状穀粉膨化食品生地。
【請求項４】
前記構成脂肪酸として、カプロン酸、カプリル酸及びカプリン酸から選ばれる１種以上の脂肪酸を含むトリアシルグリセロール中の、構成脂肪酸が、カプロン酸、カプリル酸及びカプリン酸から選ばれる１種以上の脂肪酸のみからなるトリアシルグリセロールの含量が３０質量％以上である、請求項１〜３の何れか１項に記載の層状穀粉膨化食品生地。
【請求項５】
請求項１〜４の何れか１項に記載の層状穀粉膨化食品生地を加熱焼成してなる、層状穀粉膨化食品。
【請求項６】
構成脂肪酸として、カプロン酸、カプリル酸及びカプリン酸から選ばれる１種以上の脂肪酸を含むトリアシルグリセロールを、４０〜９０質量％含む、折り込み用可塑性油脂組成物。
【請求項７】
油脂中に、以下の油脂Ａを２０〜５０質量％と油脂Ｂを５０〜８０質量％含む、請求項６に記載の折り込み用可塑性油脂組成物。
油脂Ａ：固体脂含量（ＳＦＣ）が、２０℃で６０〜１００％、３０℃で３５〜９０％、
４０℃で０〜５０％、４５℃で０〜３０％である油脂
油脂Ｂ：構成脂肪酸として、カプロン酸、カプリル酸及びカプリン酸から選ばれる１種
以上の脂肪酸を含むトリアシルグリセロールを４０質量％以上含み、固体脂含量（ＳＦＣ
）が、１０℃で１０％以下である油脂
【請求項８】
構成脂肪酸として、カプロン酸、カプリル酸及びカプリン酸から選ばれる１種以上の脂肪酸を含むトリアシルグリセロールを４０〜９０質量％含む可塑性油脂組成物を、穀粉１００質量部に対して３０〜７０質量部折り込むことにより、構成脂肪酸として、カプロン酸、カプリル酸及びカプリン酸から選ばれる１種以上の脂肪酸を含むトリアシルグリセロールを１０〜２０質量％含む生地を得る、層状穀粉膨化食品生地の製造方法。
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
ボールを打つように構成された外面を有するフェースと；
該フェースに接続されかつ該フェースから後方に延び、
上面、
使用時に競技面と対面するように構成されたソール、ならびに、
ヒール側面、トウ側面、および該フェースと反対の後部を含む外周部
を含むボディと；
該ボディの該ソール上に少なくとも部分的に位置しかつ該フェースに対するボールのインパクトに影響するように構成されている、内方に凹んだチャネルと
を含むゴルフクラブヘッドであって、
該チャネルは、該外周部の近くに位置する先端を有しかつ該ソールの中心に向けて該先端から延びた第一の部分を含み、
該チャネルの該第一の部分は細長く、該フェースの少なくとも一つの周縁に概ね平行な前縁と該前縁の後方に配置された後縁とを含む境界縁によって画定されており、
該チャネルは、該第一の部分の該先端から離れていくように該第一の部分の伸長方向に対して横切る向きで延びる第二の部分をさらに含む、
ゴルフクラブヘッド。
【請求項２】
該チャネルの該第二の部分が、該第一の部分の該先端から該後部に向けてかつ該フェースから離れていくように延びる、請求項１記載のゴルフクラブヘッド。
【請求項３】
該外周部がカーブしており、該チャネルの該第二の部分が該外周部に沿ってカーブしている、請求項２記載のゴルフクラブヘッド。
【請求項４】
該チャネルの該第二の部分が、該第一の部分の該先端から該フェースに向けて延びる、請求項１記載のゴルフクラブヘッド。
【請求項５】
該チャネルが該前縁および該後縁から該ボディの内方に延びた側壁を含む、請求項１記載のゴルフクラブヘッド。
【請求項６】
該ボディと該フェースとが、内側表面を有する内部キャビティを画定し、該チャネルの該側壁が該内部キャビティの中へ延びて該内側表面上に隆起した部分を形成する、請求項５記載のゴルフクラブヘッド。
【請求項７】
該側壁がカーブしており該チャネルにカーブした断面プロファイルを与える、請求項５記載のゴルフクラブヘッド。
【請求項８】
該側壁がまっすぐで該チャネルに実質的に長方形の断面プロファイルを与える、請求項５記載のゴルフクラブヘッド。
【請求項９】
該チャネルが、該フェースに対する該ボールのインパクト時に撓み圧縮されるように構成されており、該チャネルが、さらに、該フェースに対する該ボールのインパクト時に反力を該フェースに加え、かつ、該フェースに対する該ボールのインパクト時に該フェースの下縁を外方に押しやるように構成されている、請求項１記載のゴルフクラブヘッド。
【請求項１０】
ボールを打つように構成された外面を有するフェースと；
該フェースに接続されかつ該フェースから後方に延び、ヒール側面、トウ側面、上面、および使用時に競技面と対面するように構成されたソールを含むボディと；
該ボディの該ソール上に少なくとも部分的に位置しかつ該フェースに対するボールのインパクトに影響するように構成されている、内方に凹んだチャネルと
を含むゴルフクラブヘッドであって、
該チャネルは、該ヒール側面の近くに位置する先端を有し、かつ、該ソールの中心に向けて該先端から延びており、
該チャネルは細長く、該フェースの下縁に概ね平行な前縁と該前縁の後方に配置された後縁とを含む境界縁によって画定されており、
該チャネルは、該チャネルの該先端から離れていくように該ボディの該ヒール側面に沿って延びる、内方に凹んだヒール部分をさらに含む、
ゴルフクラブヘッド。
【請求項１１】
該チャネルの該ヒール部分が、該チャネルの該先端から該フェースから離れていくように延びる、請求項１０記載のゴルフクラブヘッド。
【請求項１２】
該ヒール側面がカーブしており、該チャネルの該ヒール部分が該ヒール側面に沿ってカーブしている、請求項１１記載のゴルフクラブヘッド。
【請求項１３】
該チャネルの該ヒール部分が、該チャネルの該先端から該フェースに向けて延びる、請求項１０記載のゴルフクラブヘッド。
【請求項１４】
該チャネルが該前縁および該後縁から該ボディの内方に延びた側壁を含み、該ボディと該フェースとが、内側表面を有する内部キャビティを画定し、該チャネルの該側壁が該内部キャビティの中へ延びて該内側表面上に隆起した部分を形成する、請求項１０記載のゴルフクラブヘッド。
【請求項１５】
該チャネルが、該フェースに対する該ボールのインパクト時に撓み圧縮されるように構成されており、該チャネルが、さらに、該フェースに対する該ボールのインパクト時に反力を該フェースに加え、かつ、該フェースに対する該ボールのインパクト時に該フェースの下縁を外方に押しやるように構成されている、請求項１０記載のゴルフクラブヘッド。
【請求項１６】
ボールを打つように構成された外面を有するフェースと、
該フェースに接続されかつ該フェースから後方に延び、ヒール側面、トウ側面、上面、および使用時に競技面と対面するように構成されたソールを含むボディと、
該ボディの該ソール上に少なくとも部分的に位置しかつ該フェースに対するボールのインパクトに影響するように構成されている、内方に凹んだチャネルと
を含むゴルフクラブヘッドであって、
該チャネルは、該トウ側面の近くに位置する先端を有し、かつ、該ソールの中心に向けて該先端から延びており、
該チャネルは細長く、該フェースの下縁に概ね平行な前縁と該前縁の後方に配置された後縁とを含む境界縁によって画定されており、
該チャネルは、該チャネルの該先端から離れていくように該ボディの該トウ側面に沿って延びる、内方に凹んだトウ部分をさらに含む、
ゴルフクラブヘッド。
【請求項１７】
該チャネルの該トウ部分が、該チャネルの該先端から該フェースから離れていくように延びる、請求項１６記載のゴルフクラブヘッド。
【請求項１８】
該トウ側面がカーブしており、該チャネルの該トウ部分が該トウ側面に沿ってカーブしている、請求項１７記載のゴルフクラブヘッド。
【請求項１９】
該チャネルの該トウ部分が、該チャネルの該先端から該フェースに向けて延びる、請求項１６記載のゴルフクラブヘッド。
【請求項２０】
該チャネルが該前縁および該後縁から該ボディの内方に延びた側壁を含み、該ボディと該フェースとが、内側表面を有する内部キャビティを画定し、該チャネルの該側壁が該内部キャビティの中へ延びて該内側表面上に隆起した部分を形成する、請求項１６記載のゴルフクラブヘッド。
【請求項２１】
該チャネルが、該フェースに対する該ボールのインパクト時に撓み圧縮されるように構成されており、該チャネルが、さらに、該フェースに対する該ボールのインパクト時に反力を該フェースに加え、かつ、該フェースに対する該ボールのインパクト時に該フェースの下縁を外方に押しやるように構成されている、請求項１６記載のゴルフクラブヘッド。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
被検体の皮膚から、および／または皮膚の下から流体を抽出するためのデバイスであって、
該デバイスは、
該被検体の該皮膚に適用するための支持構造と、
該支持構造と関連付けられる流体輸送器と
を備え、該デバイスは、
該デバイスが該流体の抽出のために位置付けられたとき、抽出領域と平行である、約５ｃｍ以下の最大横寸法、
該デバイスが該流体の抽出のために位置付けられたとき、該被検体の該皮膚から延在する、約１ｃｍ以下の最大縦寸法、または
該流体がないとき、約２５ｇ以下の質量
のうちの少なくとも１つを備える、デバイス。
【請求項２】
前記支持構造は、前記皮膚への該支持構造の接着のための接着剤をさらに備える、請求項１に記載のデバイス。
【請求項３】
前記支持構造は、前記被検体の前記皮膚に対して配置されることが可能である、請求項１または２のうちのいずれか一項に記載のデバイス。
【請求項４】
前記デバイスは、該デバイスが前記皮膚に対して配置されたときに、該デバイス上に生成される力を決定することが可能である、請求項１〜３のうちのいずれか一項に記載のデバイス。
【請求項５】
前記デバイスは、前記被検体から体温を決定することが可能である、請求項１〜４のうちのいずれか一項に記載のデバイス。
【請求項６】
前記流体輸送器は、アクチュエータを使用して起動されることが可能である、請求項１〜５のうちのいずれか一項に記載のデバイス。
【請求項７】
前記アクチュエータは、ボタンを備える、請求項６に記載のデバイス。
【請求項８】
前記流体輸送器は、遠隔で起動されることが可能である、請求項１〜７のうちのいずれか一項に記載のデバイス。
【請求項９】
前記デバイスは、該デバイスを含有する包装から前記流体輸送器を取り外した後の時限起動のためのタイミング機構を備える、請求項１〜８のうちのいずれか一項に記載のデバイス。
【請求項１０】
前記支持構造は、前記デバイスを前記被検体の前記皮膚に貼付するための機械的要素をさらに備える、請求項１〜９のうちのいずれか一項に記載のデバイス。
【請求項１１】
前記支持構造は、前記流体輸送器を含有する陥凹を含有する、請求項１〜１０のうちのいずれか一項に記載のデバイス。
【請求項１２】
前記支持構造は、前記流体輸送器と流体連通している微小流体チャネルをさらに備える、請求項１〜１１のうちのいずれか一項に記載のデバイス。
【請求項１３】
前記デバイスは、前記被検体の前記皮膚から、および／または該皮膚の下から前記流体輸送器を介して前記流体を引き抜くことが可能である、請求項１〜１２のうちのいずれか一項に記載のデバイス。
【請求項１４】
前記媒体は、血液を含む、請求項１〜１３のうちのいずれか一項に記載のデバイス。
【請求項１５】
前記媒体は、間質液を含む、請求項１〜１４のうちのいずれか一項に記載のデバイス。
【請求項１６】
前記デバイスは、前記流体輸送器と流体連通している貯蔵チャンバをさらに備える、請求項１〜１５のうちのいずれか一項に記載のデバイス。
【請求項１７】
前記デバイスは、前記被検体の前記皮膚から、および／または該皮膚の下から引き抜かれた前記流体内に含有される被分析物を決定することが可能である、請求項１〜１６のうちのいずれか一項に記載のデバイス。
【請求項１８】
前記デバイスは、続けて前記被検体の前記皮膚から該デバイスを取り外すことなく、前記被分析物を決定することが可能である、請求項１７に記載のデバイス。
【請求項１９】
前記デバイスは、自動的に前記被分析物を決定することが可能である、請求項１７または１８のうちのいずれか一項に記載のデバイス。
【請求項２０】
前記デバイスは、前記被分析物の前記決定の結果を表示することが可能である、請求項１７〜１９のうちのいずれか一項に記載のデバイス。
【請求項２１】
前記被分析物は、グルコースを含む、請求項１７〜２０のうちのいずれか一項に記載のデバイス。
【請求項２２】
前記流体輸送器は、針を備える、請求項１〜２１のうちのいずれか一項に記載のデバイス。
【請求項２３】
前記針は、極微針を含む、請求項１〜２２のうちのいずれか一項に記載のデバイス。
【請求項２４】
前記流体輸送器は、中実の極微針を備える、請求項１〜２３のうちのいずれか一項に記載のデバイス。
【請求項２５】
前記流体輸送器は、中空の極微針を備える、請求項１〜２４のうちのいずれか一項に記載のデバイス。
【請求項２６】
前記流体輸送器は、前記支持構造に対して固定化される、請求項１〜２５のうちのいずれか一項に記載のデバイス。
【請求項２７】
前記デバイスは、前記被検体の前記皮膚への前記流体輸送器の曝露後に、該被検体の該皮膚から該流体輸送器を引き抜くことが可能である、請求項１〜２６のうちのいずれか一項に記載のデバイス。
【請求項２８】
前記支持構造は、前記流体輸送器に向かって前記被検体の前記皮膚を引き寄せることが可能である、請求項１〜２７のうちのいずれか一項に記載のデバイス。
【請求項２９】
前記支持構造は、大気圧未満の圧力を前記被検体の前記皮膚に印加することが可能である、請求項１〜２８のうちのいずれか一項に記載のデバイス。
【請求項３０】
前記支持構造は、大気圧未満の圧力を有する内蔵式真空チャンバを備える、請求項１〜２９のうちのいずれか一項に記載のデバイス。
【請求項３１】
前記流体輸送器は、前記支持構造に対して移動することが可能である、請求項１〜３０のうちのいずれか一項に記載のデバイス。
【請求項３２】
前記流体輸送器は、前記被検体によって起動されることが可能である、請求項１〜３１のうちのいずれか一項に記載のデバイス。
【請求項３３】
前記流体輸送器は、前記デバイスを前記被検体の前記皮膚に適用すると起動されることが可能である、請求項１〜３２のうちのいずれか一項に記載のデバイス。
【請求項３４】
前記デバイスは、熱を前記被検体の前記皮膚に印加するための加熱器をさらに備える、請求項１〜３３のうちのいずれか一項に記載のデバイス。
【請求項３５】
前記デバイスは、前記被検体の前記皮膚を冷却するための冷却器をさらに備える、請求項１〜３４のうちのいずれか一項に記載のデバイス。
【請求項３６】
前記最大横寸法は、約２．５ｃｍ乃至約５ｃｍである、請求項１〜３５のうちのいずれか一項に記載のデバイス。
【請求項３７】
前記最大縦寸法は、約０．５ｃｍ乃至約１ｃｍである、請求項１〜３６のうちのいずれか一項に記載のデバイス。
【請求項３８】
前記質量は、約２ｇ乃至約２５ｇである、請求項１〜３７のうちのいずれか一項に記載のデバイス。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
注文を管理し、飲料を供給するための方法であって、
注文入力システムにおいて、注文識別を含む注文を受け、
注文識別を含む表示を飲料用容器に印刷し、
飲料供給ステーションにおいて表示を読み取り、
表示の読み取りに応じて、飲料供給ステーションのグラフィカルユーザーインターフェースから、消費者に飲料種を選択させ、
グラフィカルユーザーインターフェースから選択された飲料種を飲料供給ステーションによって飲料用容器に供給し、そして
選択された飲料種に関する注文情報を更新する
ことを包含する方法。
【請求項２】
消費者に飲料種を選択させる工程が、
飲料用容器を、飲料用容器動作検知器の近傍に配置し、
飲料用容器動作検知器によって、飲料用容器の回転または他の動きを監視し、
飲料用容器動作検知器を介して、ユーザーがグラフィカルユーザーインターフェースと対話することを可能にし、そして
グラフィカルユーザーインターフェース上に表示された飲料用メニューからユーザーに飲料種を選択させる
ことを更に包含する、請求項１に記載の方法。
【請求項３】
飲料供給ステーションにおいて、飲料用容器の表示を読み取ることによって、選択した飲料の飲料用容器への再充填を開始することを更に包含する、請求項１に記載の方法。
【請求項４】
グラフィカルユーザーインターフェースからユーザーに飲料種を選択させることを、飲料用容器を移動または回転させることによって行うことを特徴とする、請求項１に記載の方法。
【請求項５】
ユーザーの選択した飲料種を記録することを更に包含する、請求項１に記載の方法。
【請求項６】
再充填用に選択した飲料種を飲料用容器へ供給し、飲料の再充填回数について注文情報を更新することを更に包含する、請求項１に記載の方法。
【請求項７】
選択された飲料種に関する注文情報の更新が、飲料供給ステーションとネットワーク化されたデータ処理リソースに、注文識別と選択された飲料種とを通信することを含む、請求項１に記載の方法。
【請求項８】
選択された飲料種に関する注文情報の更新が、データ処理リソースに、飲料供給ステーションによって供給された飲料種の容量を通信することを更に含む、請求項７に記載の方法。
【請求項９】
注文を管理し、飲料を供給するためのシステムであって、
（１）注文識別を含む注文を受けるための受注機構を有する注文入力システム、
（２）飲料供給ステーションであって、
注文識別を含む表示を飲料用容器に印刷するための印刷機構、
表示の読み取りに応じて消費者に飲料種を選択させることができる飲料供給ステーションのグラフィカルユーザーインターフェース、及び
グラフィカルユーザーインターフェースから選択された飲料種を飲料用容器に供給するための供給装置
を有する飲料供給ステーション、並びに
（３）選択された飲料種に関する注文情報を更新するためのデータ処理リソース
を包含することを特徴とするシステム。
【請求項１０】
飲料供給ステーションが、飲料用容器動作検出器を有し、該検出器は、飲料用容器を該検出器の近傍においた場合に飲料用容器の起点またはその他の動きを検出するためのものであって、この検出によって、ユーザーが該検出器を介してグラフィカルユーザーインターフェースと交流し且つグラフィカルユーザーインターフェースに表示された飲料種のメニューから飲料種を選択することを可能にするものであることを特徴とする、請求項９に記載のシステム。
【請求項１１】
飲料供給ステーションが、飲料供給ステーションにおいて、飲料用容器の表示を読み取ることによって、選択された商品種の容器への再充填を開始させるための開始機構を有することを特徴とする、請求項９に記載のシステム。
【請求項１２】
グラフィカルユーザーインターフェースが、ユーザーに、飲料用容器を移動または回転させることによって飲料種を選択させることができることを特徴とする、請求項９に記載のシステム。
【請求項１３】
データ処理リソースが、供給された飲料種を記録する機能を有することを特徴とする、請求項９に記載のシステム。
【請求項１４】
飲料供給ステーションが、選択した飲料の飲料用容器への再充填をする機能を有し、データ処理リソースが、飲料の再充填回数について注文情報を更新する機能を有することを特徴とする、請求項９に記載のシステム。
【請求項１５】
データ処理リソースが飲料供給ステーションとネットワーク化されており、これによって、注文識別と選択された飲料種とを、データ処理リソースに通信してそれらの情報を更新することができることを特徴とする、請求項９に記載のシステム。
【請求項１６】
飲料供給ステーションによって供給された飲料種の容量を、データ処理リソースに通信してそれらの情報を更新することができることを特徴とする、請求項１５に記載のシステム。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
開始条件が成立したことに基づいて、識別情報の可変表示を行い、該識別情報の可変表示の表示結果として予め定められた特定表示結果が導出されたときに、遊技者にとって有利な有利状態に制御可能な遊技機であって、
前記開始条件が成立したことに基づいて、該開始条件が成立した識別情報の可変表示に対応する特別画像を表示する特別画像表示手段と、
前記特別画像の表示態様を変化させる表示態様変化手段と、を備え、
前記表示態様変化手段は、前記特別画像において変化可能な複数種別の表示態様のうちの第１種別の表示態様を、前記開始条件が成立した識別情報の可変表示の表示結果が前記特定表示結果となるか否かに応じて異なる割合で変化させ、該第１種別とは異なる第２種別の表示態様を、該第１種別の表示態様が変化するか否かに応じて異なる割合で変化させる、
ことを特徴とする遊技機。
【請求項２】
開始条件が成立したことに基づいて、識別情報の可変表示を行い、該識別情報の可変表示の表示結果として予め定められた特定表示結果が導出されたときに、遊技者にとって有利な有利状態に制御可能な遊技機であって、
前記開始条件が成立していない識別情報の可変表示を保留記憶として記憶する保留記憶手段と、
前記保留記憶手段に記憶された保留記憶に対応して保留表示を行う保留表示手段と、
前記保留表示の表示態様を変化させる表示態様変化手段と、を備え、
前記表示態様変化手段は、前記保留表示において変化可能な複数種別の表示態様のうちの第１種別の表示態様を、前記保留表示に対応した識別情報の可変表示の表示結果が前記特定表示結果となるか否かに応じて異なる割合で変化させ、該第１種別とは異なる第２種別の表示態様を、該第１種別の表示態様が変化するか否かに応じて異なる割合で変化させる、
ことを特徴とする遊技機。
【手続補正２】
【補正対象書類名】明細書
【補正対象項目名】０００７
【補正方法】変更
【補正の内容】
【０００７】
（１）上記目的を達成するため、本願発明に係る遊技機は、
開始条件（例えば、第１特図や第２特図を用いた特図ゲームを開始するための条件など）が成立したことに基づいて、識別情報（例えば、特別図柄や飾り図柄など）の可変表示を行い、該識別情報の可変表示の表示結果として予め定められた特定表示結果（例えば、大当り図柄となる特別図柄や大当り組合せの確定飾り図柄など）が導出されたときに、遊技者にとって有利な有利状態（例えば、大当り遊技状態など）に制御可能な遊技機であって、
前記開始条件が成立したことに基づいて、該開始条件が成立した識別情報の可変表示に対応する特別画像（例えば、図２１に示す特別画像ＳＨ０など）を表示する特別画像表示手段（例えば、ステップＳ４０２Ａの処理を実行する演出制御用ＣＰＵ１２０など）と、
前記特別画像の表示態様を変化させる表示態様変化手段（例えば、ステップＳ５１２又はステップＳ５１４の処理を実行する演出制御用ＣＰＵ１２０など）と、を備え、
前記表示態様変化手段は、前記特別画像において変化可能な複数種別の表示態様（例えば、表示図形及び形状といった２つの種別の表示態様など）のうちの第１種別の表示態様（例えば、表示図形など）を、前記開始条件が成立した識別情報の可変表示の表示結果が前記特定表示結果となるか否かに応じて異なる割合（例えば、図１４に示す割合など）で変化させ、該第１種別とは異なる第２種別の表示態様（例えば、形状など）を、該第１種別の表示態様が変化するか否かに応じて異なる割合（例えば、図１５〜図１７に示す割合など）で変化させる、
ことを特徴とする。
【手続補正３】
【補正対象書類名】明細書
【補正対象項目名】０００９
【補正方法】変更
【補正の内容】
【０００９】
（２）上記目的を達成するため、本願発明に係る遊技機は、
開始条件（例えば、第１特図や第２特図を用いた特図ゲームを開始するための条件など）が成立したことに基づいて、識別情報（例えば、特別図柄や飾り図柄など）の可変表示を行い、該識別情報の可変表示の表示結果として予め定められた特定表示結果（例えば、大当り図柄となる特別図柄や大当り組合せの確定飾り図柄など）が導出されたときに、遊技者にとって有利な有利状態（例えば、大当り遊技状態など）に制御可能な遊技機であって、
前記開始条件が成立していない識別情報の可変表示を保留記憶として記憶する保留記憶手段（例えば、第１特図保留記憶部及び第２特図保留記憶部など）と、
前記保留記憶手段に記憶された保留記憶に対応して保留表示を行う保留表示手段（例えば、ステップＳ６８３の処理を実行する演出制御用ＣＰＵ１２０など）と、
前記保留表示の表示態様を変化させる表示態様変化手段（例えば、ステップＳ５１２又はステップＳ５１４の処理を実行する演出制御用ＣＰＵ１２０など）と、を備え、
前記表示態様変化手段は、前記保留表示において変化可能な複数種別の表示態様（例えば、表示図形及び形状といった２つの種別の表示態様など）のうちの第１種別の表示態様（例えば、表示図形など）を、前記保留表示に対応した識別情報の可変表示の表示結果が前記特定表示結果となるか否かに応じて異なる割合（例えば、図１４に示す割合と同様の割合など）で変化させ、該第１種別とは異なる第２種別の表示態様（例えば、形状など）を、該第１種別の表示態様が変化するか否かに応じて異なる割合（例えば、図１５〜図１７に示す割合と同様の割合など）で変化させる、
ことを特徴とする。
【手続補正４】
【補正対象書類名】明細書
【補正対象項目名】００１７
【補正方法】変更
【補正の内容】
【００１７】
（６）上記（１）の遊技機において、
前記開始条件が成立していない識別情報の可変表示を保留記憶として記憶する保留記憶手段と、
前記保留記憶手段に記憶された保留記憶に対応して保留表示を行う保留表示手段と、をさらに備え、
前記特別画像表示手段は、前記表示態様変化手段によって前記特別画像の表示態様が変化される場合（例えば、ステップＳ７０２にて特別画像変化予告を実行すると決定されている場合など）、前記保留表示の表示態様とは異なる表示態様で前記特別画像を表示する（例えば、図２１（Ａ）に示すように保留表示が始動入賞記憶表示エリア５１Ｈにて小さな丸印の表示態様で行われているときには、特別画像表示エリア５１Ｓにて大きな玉画像の表示態様で特別画像を表示するなど）、
ことを特徴とする。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
開始条件が成立したことに基づいて、識別情報の可変表示を行い、該識別情報の可変表示の表示結果として予め定められた特定表示結果が導出されたときに、遊技者にとって有利な有利状態に制御可能な遊技機であって、
前記開始条件が成立したことに基づいて、該開始条件が成立した識別情報の可変表示に対応する特別画像を表示する特別画像表示手段と、
前記開始条件が成立した識別情報の可変表示の進行状況に応じて前記特別画像の表示態様を変化させる表示態様変化手段と、
を備えることを特徴とする遊技機。
【手続補正２】
【補正対象書類名】明細書
【補正対象項目名】０００７
【補正方法】変更
【補正の内容】
【０００７】
（１）上記目的を達成するため、本願発明に係る遊技機は、
開始条件（例えば、第１特図や第２特図を用いた特図ゲームを開始するための条件など）が成立したことに基づいて、識別情報（例えば、特別図柄や飾り図柄など）の可変表示を行い、該識別情報の可変表示の表示結果として予め定められた特定表示結果（例えば、大当り図柄となる特別図柄や大当り組合せの確定飾り図柄など）が導出されたときに、遊技者にとって有利な有利状態（例えば、大当り遊技状態など）に制御可能な遊技機であって、
前記開始条件が成立したことに基づいて、該開始条件が成立した識別情報の可変表示に対応する特別画像（例えば、図２１に示す特別画像ＳＨ０など）を表示する特別画像表示手段（例えば、ステップＳ４０２Ａの処理を実行する演出制御用ＣＰＵ１２０など）と、
前記開始条件が成立した識別情報の可変表示の進行状況（例えば、可変表示結果が導出されるまでの残り時間など）に応じて前記特別画像の表示態様（例えば、形状など）を変化させる表示態様変化手段（例えば、ステップＳ５１２の処理を実行する演出制御用ＣＰＵ１２０など）と、
を備えることを特徴とする。
【手続補正３】
【補正対象書類名】明細書
【補正対象項目名】００１５
【補正方法】変更
【補正の内容】
【００１５】
（５）上記（１）から（４）のいずれかの遊技機において、
前記開始条件が成立していない識別情報の可変表示を保留記憶として記憶する保留記憶手段と、
前記保留記憶手段に記憶された保留記憶に対応して保留表示を行う保留表示手段と、をさらに備え、
前記特別画像表示手段は、前記表示態様変化手段によって前記特別画像の表示態様が変化される場合（例えば、ステップＳ７０２にて特別画像変化予告を実行すると決定されている場合など）、前記保留表示の表示態様とは異なる表示態様で前記特別画像を表示する（例えば、図２１（Ａ）に示すように保留表示が始動入賞記憶表示エリア５１Ｈにて小さな丸印の表示態様で行われているときには、特別画像表示エリア５１Ｓにて大きな玉画像の表示態様で特別画像を表示するなど）、
ことを特徴とする。